(57)【要約】【課題】名刺を単なる身分を示すだけの道具として使用するものではなく、より興味を持たせ、より強い印象を与えることを目的とした名刺を作成する。【解決手段】平板の片面の中央部分に社名・個人名・住所等を大きく印刷し、尚且つ余白部分に会社案内及び営業品目等の情報を印刷し大判名刺として使用する。他の片面には切り取り線、折り線、抜き穴加工を施し、加えてボックスの正面となる部分に社名・個人名・住所等を印刷し立体名刺として使用する組み立て式背景つきボックス及び従来の名刺と一緒に管理できる一般的なサイズの名刺を印刷する。【選択図】図３
0003124119.tif 000002
【実用新案登録請求の範囲】
【請求項１】
表面中央部分に社名・個人名・住所等を大きく印刷し、尚且つ余白部分に会社概要や取扱商品等の情報を印刷し大判名刺として視認性と意外性を高め顧客への印象度を高めることを目的とするために使用する。
【請求項２】
請求項１の裏面に通常の名刺及び組み立て式の背景付きボックスを作成するために切り取り線、折り線、抜き穴加工を施した印刷面（写真等）を設け、組み立て後のその正面となる部分に社名・個人名・住所等を印刷し、通常サイズの名刺をイメージすることにより、卓上型の立体名刺として顧客に対し常時アピールすることを目的とする。
【請求項３】
請求項１の裏面に通常の名刺及び組み立て式の背景付及び耳付きボックスを作成するために切り取り線、折り線、抜き穴加工を施した印刷面（写真等）を設け、組み立て後のその正面となる部分に社名・個人名・住所等を印刷し、通常サイズの名刺をイメージすることにより、卓上型の立体名刺として顧客に対し常時アピールすることを目的とする。
【考案の詳細な説明】
【技術分野】
【０００１】本件の考案はより印象深い名刺を作成することを目的としたものである。
【背景技術】
【０００２】従来の一般的な名刺は一枚の用紙の片面もしくは両面に社名・個人名・住所等を印刷し、単に自分の身分を相手先に紹介することを目的としたものでありました。
【考案の開示】
【考案が解決しようとする課題】
【０００３】従来の名刺では他との差別化があまりなく、名刺を受け取った人に対し、その人の記憶に残ったり、強い印象を与えることが難しいという欠点が見られました。
【課題を解決するための手段】
【０００４】本考案における名刺は、表面の中央部分に社名・個人名・住所等を大きく印刷し大判名刺部分とし、その周りの余白部分に会社案内及び営業品目などの情報を印刷する。また裏面には切り取り線、折り線、抜き穴加工を施し、ボックスの正面となる部分に社名・個人名・住所等を印刷し立体名刺として使用する組み立て式背景付きボックス及び一般的なサイズの名刺を印刷することを特徴とする。
【考案の効果】
【０００５】最初に表面の大判名刺を渡すことにより、先方に強い興味及び強い印象を与えることができる。
続いて裏面の背景付きボックスを組み立てることにより卓上型の立体名刺となり、常時先方にアピールすることができる。
さらに抜きだした一般的なサイズの名刺も先方の手元にのこり、他の名刺と一緒に管理できることにより通常の何倍もの効果をもたらすものである。
【考案を実施するための最良の形態】
【０００６】大判名刺として使用した後に、先方に組み立ててもらうことを前提としており、組み立て形状は単純に且つ簡単にできることが望ましい。材質もある程度の強度を有するものが望ましい。
【実施例】
【０００７】［図２］の状態で先方に裏面の利用を促し大判名刺として使用する。
先方が［図１］の切り取り線、折り線、抜き穴加工に従い、組み立てることにより、名刺の機能を持った卓上型の立体物及び一般の名刺とともに管理のできる従来型の名刺が出来上がる。
【図面の簡単な説明】
【０００８】
【図１】は裏面展開図
【図２】は大判名刺の展開図
【図３】は組み立て式立体ボックスの正面図。
【図４】は組み立て式立体ボックスの左側面図。
【図５】は組み立て式立体ボックスの右側面図。
【図６】は組み立て式耳付き立体ボックスの正面図。
【図７】は組み立て式耳付き立体ボックスの左側面図。
【図８】は組み立て式耳付き立体ボックスの右側面図。
【符号の説明】
【０００９】      １は組み立てボックスの側面部分。
２は組み立てボックスの背景部分。
３は一般サイズの管理用名刺部分。
４は立体ボックスの底面部分。
５は会社の情報等を印刷する部分。
６は大判の名刺部分。
【図１】
0003124119.tif 000003
【図２】
0003124119.tif 000004
【図３】
0003124119.tif 000005
【図４】
0003124119.tif 000006
【図５】
0003124119.tif 000007
【図６】
0003124119.tif 000008
【図７】
0003124119.tif 000009
【図８】
0003124119.tif 000010
【手続補正書】
【提出日】平成18年1月4日(2006.1.4)
【手続補正１】
【補正対象書類名】実用新案登録請求の範囲
【補正対象項目名】全文
【補正方法】変更
【補正の内容】
【実用新案登録請求の範囲】
【請求項１】
裏面に組み立て式の造形物を作成するための機能を持たせた、視認性と意外性を高め顧客への印象度を高めることを目的とすることを特徴とする名刺。
【請求項２】
請求項１の裏面に通常の名刺及び組み立て式の背景付きボックスを作成するために切り取り線、折り線、抜き穴加工を施した印刷面（写真等）を設け、組み立て後のその正面となる部分に社名・個人名・住所等を印刷し、通常サイズの名刺をイメージすることにより、卓上型の立体名刺として顧客に対し常時アピールすることを特徴とする名刺。
【請求項３】
請求項１の裏面に通常の名刺及び組み立て式の背景付及び耳付きボックスを作成するために切り取り線、折り線、抜き穴加工を施した印刷面（写真等）を設け、組み立て後のその正面となる部分に社名・個人名・住所等を印刷し、通常サイズの名刺をイメージすることにより、卓上型の立体名刺として顧客に対し常時アピールすることを特徴とする名刺。
【手続補正２】
【補正対象書類名】図面
【補正対象項目名】図１
【補正方法】変更
【補正の内容】
【図１】
0003124119.tif 000011
【手続補正３】
【補正対象書類名】明細書
【補正対象項目名】０００７
【補正方法】変更
【補正の内容】
【０００７】〔図２〕の状態で先方に裏面の利用を促し大判名刺として使用する。
先方が〔図１〕の切り取り加工線、折り線、抜き穴加工に従い、組み立てることにより、名刺の機能を持った卓上型の立体物及び一般の名刺とともに管理のできる従来型の名刺が出来上がる。
組み立て要領は、切り取った１の組み立てボックス部分を折り線にそって山折りにし、１のＡに切り取った４の立体ボックスの底面部分ａを、同じく１のＢに４のｂを、１のＣに４のｃを差込み、ボックス部分を作成する。また、切り取った背景部分のＥに組み立てたボックス部分のｅを、同じくＦにｆを、Ｇにｇを、Ｈにｈを、Ｄにボックスの底面部分のｄを差し込むことにより、名刺の機能を持った卓上型の立体物が完成する。
【手続補正書】
【提出日】平成18年5月8日(2006.5.8)
【手続補正１】
【補正対象書類名】実用新案登録請求の範囲
【補正対象項目名】全文
【補正方法】変更
【補正の内容】
【実用新案登録請求の範囲】
【請求項１】
裏面に通常の名刺及び組み立て式の背景付きボックスを作成するために切り取り線、折り線、抜き穴加工を施した印刷面を設け、組み立て後のその正面となる部分に社名・個人名・住所等を印刷し、通常サイズの名刺をイメージすることにより、卓上型の立体名刺として顧客に対し常時アピールすることを特徴とし、かつ文字を大きくすることで視認性と意外性を高め顧客への印象度を高めることを目的とすることを特徴とする名刺。
【請求項２】
裏面に通常の名刺及び組み立て式の背景付きの耳付きボックスを作成するために切り取り線、折り線、抜き穴加工を施した印刷面を設け、組み立て後のその正面となる部分に社名・個人名・住所等を印刷し、通常サイズの名刺をイメージすることにより、卓上型の立体名刺として顧客に対し常時アピールすることを特徴とし、かつ文字を大きくすることで視認性と意外性を高め顧客への印象度を高めることを目的とすることを特徴とする名刺。
【手続補正２】
【補正対象書類名】図面
【補正対象項目名】図１
【補正方法】変更
【補正の内容】
【図１】
0003124119.tif 000012
【手続補正３】
【補正対象書類名】図面
【補正対象項目名】図２
【補正方法】変更
【補正の内容】
【図２】
0003124119.tif 000013
【手続補正４】
【補正対象書類名】明細書
【補正対象項目名】０００７
【補正方法】変更
【補正の内容】
【０００７】〔図２〕の状態で先方に裏面の利用を促し大判名刺として使用する。
先方が〔図１〕の切り取り加工線、折り線、抜き穴加工に従い、組み立てることにより、名刺の機能を持った卓上型の立体物及び一般の名刺とともに管理のできる従来型の名刺が出来上がる。
組み立て要領は、切り取った１の組み立てボックス部分を折り線にそって山折りにし、１のＡに切り取った４の立体ボックスの底面部分ａを、同じく１のＢに４のｂを、１のＣに４のｃを差込み、ボックス部分を作成する。また、切り取った背景部分のＥに組み立てたボックス部分のｅを、同じくＦにｆを、Ｇにｇを、Ｈにｈを、Ｄにボックスの底面部分のｄを差し込むことにより、名刺の機能を持った卓上型の立体物が完成する。